(57)【特許請求の範囲】
【請求項１】
コイン(C)を貯留するボウル(96)、前記ボウル(96)の底部に位置し前記コイン(C)を押す押出片(30)を有する回転ディスク(18)、および、前記回転ディスク(18)の下方に位置し、かつ、前記回転ディスク(18)と共に回動する前記コイン(C)を案内するコインガイド(100、102)を有し、前記回転ディスク(18)が前記コイン(C)を払い出すための回転方向及びその逆方向に回転可能であるコインホッパにおいて、
前記コインガイド(100、102)は、支軸(130、132)に回転自在に取り付けられたローラ(136、138)、および前記ローラ(136、138)よりも前記回転ディスク(18)の払い出しのための回転方向において下流に配置された被動体(148、150)よりなり、
前記ローラ(136、138)および前記被動体(148、150)は前記コイン(C)よりも軟質材料で作られており、
前記支軸(130、132)および前記被動体(148、150)は片持ち支持された板バネ(104)に固定されて前記回転ディスク(18)に対し離れる方向に一体的に移動可能であり、
前記被動体(148、150)の上端は半球形または斜面であり、
前記回転ディスク(18)の逆方向への回転に伴い前記コイン(C)が前記半球形または前記斜面に接して前記被動体(148、150)を押し下げることにより、前記コイン(C)が前記被動体(148、150)の上端によって案内されて前記コインガイド(100、102)を乗り越えられるよう構成されることを特徴とするコインホッパのコインガイド。
【請求項２】
前記被動体(148、150)は、下端が矩形に形成され、前記矩形の下端が前記板バネ(104)に固定された支持板(118)の矩形孔(144、146)に挿入され、前記上端が前記板バネ(104)の貫通孔(114、116)を貫通して前記回転ディスク側に突出することを特徴とする請求項１に記載のコインホッパのコインガイド。
【請求項３】
前記ローラ(136、138)は前記コイン(C)と接する小径部(142)と前記小径部(142)よりも大きな大径部(140)とを有し、前記大径部(140)は前記板バネ(104)に支えられることを特徴とする請求項１に記載のコインホッパのコインガイド。
【請求項４】
前記ローラ(136、138)が一端を閉止されたシリンダ形であり、前記支軸(130、132)に回転自在に被せられていることを特徴とする請求項１に記載のコインホッパのコインガイド。
【請求項５】
前記ローラ(136、138)が他端に外方に突出するフランジ(140)を有し、前記支軸(130、132)が中間に大径部(134)を有し、かつ、一端が前記板バネ(104)に固定された支持板(118)に固定され、前記ローラ(136、138)が前記板バネ(104)の貫通孔(108、110)を貫通して前記回転ディスク(18)側に突出し、前記フランジ(140)が前記支軸(130、132)の前記大径部(134)と前記板バネ(104)によって前記支軸(130、132)のスラスト方向に移動不能に規制されることを特徴とする請求項４に記載のコインホッパのコインガイド。
【発明の詳細な説明】
【技術分野】
【０００１】
本発明は、回転ディスクによって押し進められるコインを回転ディスクの周方向に案内するコインホッパのコインガイドに関する。
詳しくは、軟質材料で作られたコインを損傷させないコインホッパのコインガイドに関する。
さらに、正逆転可能な回転ディスクに適したコインホッパのコインガイドに関する。
さらにまた、軟質材料で作られたコインを損傷させないコインガイドを使用したコインホッパに関する。
なお、本明細書で使用する「コイン」は、通貨であるコイン、ゲーム機等に使われるトークン、及び、それらと類似のものを包含する。
【背景技術】
【０００２】
コインが回転ディスクの押進部によって押し進められ、その回転ディスクの下方のコインの進行経路に配置したコインガイドによってその回転ディスクの周方向に案内してコインを一枚ずつ払い出すコインホッパが知られている（例えば、特許文献１参照。）。
このコインガイドは、摩耗を防止するため、通常金属で作られる。
【０００３】
【特許文献１】実用新案登録第2594435号（図２―14、１頁―3頁）
【発明の開示】
【発明が解決しようとする課題】
【０００４】
日本円の500円、100円及び50円の白銅系コインは比較的硬度が大きいので、金属製のコインガイドと金属製の押出片によってはさまれた場合、それらコインは変形しない。
しかし、青銅系の10円及びアルミ系の1円コインは比較的硬度が小さいので変形することがある。
特に、アルミ系の1円コインは、周縁部が変形し、数回のコインホッパによる払出で使用することが出来なくなるほど変形する問題がある。
すなわち、変形によってコイン周縁の厚みが実質的に増加したり、真円でなくなるため、コイン識別機において誤検知されるという問題がある。
【０００５】
本発明の第１の目的は、コインホッパを用いて軟質材料で作られたコインを払い出す場合、そのコインの変形を防止することである。
本発明の第２の目的は、コインの変形を防止するコインガイドを安価に提供することである。
本発明の第３の目的は、回転ディスクが正逆転する場合でも軟質材料で作られたコインを傷つけることがないコインガイドを提供することである。
【課題を解決するための手段】
【０００６】
この目的を達成するため、本発明にかかるコインホッパは次のように構成されている。
すなわち、請求項１の発明は、コインを貯留するボウル、前記ボウルの底部に位置し前記コインを押す押出片を有する回転ディスク、および、前記回転ディスクの下方に位置し、かつ、前記回転ディスクと共に回動する前記コインを案内するコインガイドを有し、前記回転ディスクが前記コインを払い出すための回転方向及びその逆方向に回転可能であるコインホッパにおいて、前記コインガイドは、支軸に回転自在に取り付けられたローラ、および前記ローラよりも前記回転ディスクの払い出しのための回転方向において下流に配置された被動体よりなり、前記ローラおよび前記被動体は前記コインよりも軟質材料で作られており、前記支軸および前記被動体は片持ち支持された板バネに固定されて前記回転ディスクに対し離れる方向に一体的に移動可能であり、前記被動体の上端は半球形または斜面であり、前記回転ディスクの逆方向への回転に伴い前記コインが前記半球形または前記斜面に接して前記被動体を押し下げることにより、前記コインが前記被動体の上端によって案内されて前記コインガイドを乗り越えられるよう構成されることを特徴とするコインホッパのコインガイドである。
【発明の効果】
【０００７】
この構成において、コインは、回転ディスクの押出片によって押されて回転ディスクと共に回動する。
【０００８】
この構成において、支軸及び被動体が同一の板バネに取り付けられているので、板バネが弾性変形してもそれらの位置関係が変わることがない。
したがって、コインに対する位置関係が変わらないのでコインを確実に所定の方向に案内することができる利点がある。
この構成において、コインが被動体に大きな力で押し付けられた場合であっても、被動体が変形し、コインが変形することがない。
【０００９】
この構成において、ローラはコインの移動と共に回転し、コインを擦ることがないのでコインを摩耗させない。
さらに、コインよりも軟質材料で作られたローラは、コインよりも硬度が低い。
コインが押出片とコインガイドによってはさまれた場合、コインガイドがコインによって変形されるので、コインが変形したり、短時間で磨耗することがない利点を有する。
【００１０】
請求項３の発明は、請求項１の発明において、前記ローラは前記コインと接する小径部と前記小径部よりも大きな大径部とを有し、前記大径部は前記板バネに支えられることを特徴とする。
この構成において、ローラは板バネに固定された支軸に回転自在である。
さらに、ローラはコインと接触する小径部よりも大径部によって板バネに直接的に支えられる。
したがって、コインがローラ小径部先端によってガイドされた場合、ローラは偏倚した力を受ける。
しかし、板バネに接する部位が大径であるため、大径部外周縁と内孔とによりその傾き角度が規制される。
したがって、ローラの傾きは微小角度に抑制され、ローラは円滑に回転することができる。
結果として、コインはローラによって円滑に案内される。
したがって、コインはコインガイドを擦りながら移動しないので、コインが摩耗しない利点を有する。
換言すれば、コインは変形せず、かつ、払出がスムーズに行われる。
【００１１】
請求項４の発明は、請求項１の発明において、前記ローラが一端を閉止されたシリンダ形であり、前記支軸に回転自在に被せられていることを特徴とする。
換言すれば、ローラは有底シリンダ形である。
コインがローラの先端部を乗り越える際、コインはローラ先端部の形状によって円滑に案内される。
したがって、コインに対するローラからの摩擦力が小さいため、コインを傷付けることがない利点を有する。
【００１２】
請求項５の発明は、請求項４の発明において、前記ローラが他端に外方に突出するフランジを有し、前記支軸が中間に大径部を有し、かつ、一端が前記板バネに固定された支持板に固定され、前記ローラが前記板バネの貫通孔を貫通して前記回転ディスク側に突出し、前記フランジが前記支軸の前記大径部と前記板バネによって前記支軸のスラスト方向に移動不能に規制されることを特徴とする。
【００１３】
コインガイドは、小径であることから、回転自在に支軸から脱落しないように取り付けることは困難である。
しかしこの構成によれば、ローラのフランジは支軸の大径部と板バネとによってそのスラスト方向の移動を規制される。
【００１４】
換言すれば、ローラは支軸によって回転自在に支持されると共に大径部と板バネによって脱落を防止される。
【００１５】
したがって、小径ローラであっても回転自在に、かつ、脱落することなく板バネに取り付けることができる利点がある。
【００１６】
請求項２の発明は、請求項１の発明において、前記被動体は、下端が矩形に形成され、前記矩形の下端が前記板バネに固定された支持板の矩形孔に挿入され、前記上端が板バネの貫通孔を貫通して前記回転ディスク側に突出することを特徴とする。
この構成によれば、被動体の下端に形成した矩形部を支持板の矩形孔に嵌合することにより、被動体がその軸線回りに回転しないようにすることができる。
換言すれば、被動体の傾斜部とコインとの位置関係を固定にすることができる。
また、被動体の上端を板バネの貫通孔を貫通させることにより、被動体の段部を板バネによって係止させる。
これにより、被動体と板バネとの一体化状態を維持することができる。
したがって、被動体の板バネへの取り付けが容易であるという利点を有する。
【００１７】
請求項１の発明によれば、被動体の一端の前記回転ディスクの回転方向に対し逆向きの上り傾斜は前記半球形部によって形成される。
したがって、製作が容易であり、かつ、角部が無いのでコインを傷付けることがない利点がある。
【００１８】
本発明の好ましい実施態様は、コインを貯留するボウル、前記ボウルの底部に位置し、コインが通過する通孔と、この通孔の下方に隣接する押出片を有し正逆転可能な回転ディスクと、前記回転ディスクが位置し、かつコインを案内するガイド面を有するほぼ円形のガイド穴と、前記ガイド穴の底部に位置し、前記通孔を通過したコインがスライドするベースと、前記ベースから突出する第1コインガイド及び第2コインガイドを有するコインホッパにおいて、前記押出片は前記回転ディスクの回転中心から周方向に伸びる直線上にほぼ位置する押進部と、前記押進部よりも周縁側に位置し、前記直線に対し鈍角をなす線上に位置する押出部を有し、前記押進部は前記第1コインガイドと前記第2コインガイドとの間に位置し、前記押出部は前記第2コインガイドよりも周縁側に位置し、前記第１コインガイド及び前記第２コインガイドは、片持ち支持された板バネに固定された支軸に回転自在な樹脂製ローラを有し、前記樹脂製ローラは、コインと接する小径部と前記小径部よりも大きな大径部を有し、前記大径部は前記板バネに支えられ、前記ローラよりも回転ディスクの払い出し方向において下流に配置された被動部を有する被動体よりなり、前記ローラ及び前記被動体は一体的に前記回転ディスクに対し離れる方向に移動可能であるコインホッパのコインガイドである。
【００１９】
この構成において、コインが第１コインガイド又は第２コインガイドと押進部又は押出部との間でジャムした場合、前記回転ディスクが逆方向に所定時間回転される。
この逆転時、第１及び第２コインガイドを通過した通孔に位置し、かつ、ガイド面に案内されるコインは被動体の上端によって案内されて第１及び第２コインガイドを乗り越えることができる。
換言すれば、回転ディスクの逆転時にコインが第１及び又は第２コインガイドによって移動を阻止されず回転ディスクと共に移動するので、回転ディスクの逆転によってコインジャムを解消することができる。
さらに、被動体は樹脂製のため、軟質コインであってもそれを乗り越える際、傷つかないという利点がある。
【発明を実施するための最良の形態】
【００２０】
コインを貯留するボウル、前記ボウルの底部に位置し、コイン通過する通孔と、この通孔の下方に隣接する押出片を有し正逆転可能な回転ディスクと、前記回転ディスクが位置し、かつ、コインを案内するガイド面を有するほぼ円形のガイド穴と、前記ガイド穴の底部に位置し、前記通孔を通過したコインがスライドするベースと、前記ベースから突出する第1コインガイド及び第2コインガイドを有するコインホッパにおいて、前記押出片は前記回転ディスクの回転中心から周方向に伸びる直線上にほぼ位置する押進部と、前記押進部よりも周縁側に位置し、前記直線に対し鈍角をなす線上に位置する押出部を有し、前記押進部は前記第1コインガイドと前記第2コインガイドとの間に位置し、前記押出部は前記第2コインガイドよりも周縁側に位置し、前記第１コインガイド及び前記第２コインガイドは、片持ち支持された板バネに固定された支軸に回転自在な樹脂製ローラを有し、前記樹脂製ローラは、コインと接する小径部と前記小径部よりも大きな大径部を有し、前記大径部は前記板バネに支えられ、前記ローラよりも回転ディスクの払い出し方向において下流に配置された被動部を有する被動体よりなり、前記ローラ及び前記被動体は一体的に前記回転ディスクに対し離れる方向に移動可能であるコインホッパのコインガイドである。
【参考例】
【００２１】
図１は参考例の回転ディスクを装着したコインホッパの分解斜視図である。
図２は参考例の回転ディスクを装着した(コインボウルを取り除いた)コインホッパの平面図である。
図３は、図２におけるＡ―Ａ線断面図である。
図４及び図５は、参考例の作用説明図である。
【００２２】
図１を参照してコインホッパ10の構造を説明する。
平板状のベース12の上面に形成されたほぼ円形のガイド穴14にステンレス製のスライドベース16が嵌め込まれている。
このスライドベース16は、ベース12を耐摩耗性樹脂にすることにより、一体成型してもよい。
しかし、別体に構成した場合、安価な樹脂を使用できるので全体として安価にできる利点がある。
【００２３】
ガイド穴14の周面は、コインCのガイド面15である。
スライドベース16の上面との間にスペーサ(図示せず)を介在させてガイド穴14内に円盤形の回転ディスク18が水平に配置されている。
次に回転ディスク18を説明する。
回転ディスク18には、等間隔でコインCよりもやや大きく、垂直方向に貫通する円形の通孔20が複数形成されている。
通孔20は、コインCが落下し易いように下方に向かって先すぼまりのテーパに形成してある。
したがって、通孔20の間にはリブ22が位置している。
【００２４】
回転ディスク18の中央部24は、マウンド状に盛り上げるとともに稜線を形成してバラ積み状態のコインCを攪拌するようにしている。
ベース12内に配置した減速機の出力軸(図示せず)はスライドベース16の中央を下方から上方に貫通しており、その先端は回転ディスク18の中央に形成した装着孔(図示せず)に挿入してある。
回転ディスク18は、出力軸の先端にねじ込んだスクリュウ26によって前記出力軸に固定されている。
前記出力軸は、減速機を介してベース12の端部に固定した電気モータ28によって、通常は図2において反時計方向へ回転される。
【００２５】
回転ディスク18の裏面とスライドベース16の上面との間隔は、コインCの厚みよりも僅かに大きく設定してある。
リブ22の裏面には、コインCの押出片30が形成され、その下端とスライドベース上面との間隔は、コインCの厚みよりも小さく設定されている。
押出片30は、押進部32と押出部34を含んでいる。
押進部32は、回転ディスク18の回転軸線を中心として弧状に形成された押進リブ36の回転前位側の端面であって、通孔20に落下して回転ディスク18と共に回動するコインCに対しほぼ正接する面である。
【００２６】
換言すると、押進部32は、通孔20に隣接しており、回転ディスク18の回転中心から周方向に伸びる線LA上にほぼ位置するとともに、回転ディスク18の軸線を中心とし、かつ、ガイド面15に案内されるコインCの中心までの距離を半径とする円弧Yと前記線LAとの交点近傍においてコインCと接する。
なお、押進部32は、コインCと面接触することが好ましいが、線接触であってもよい。
【００２７】
押出部34は、回転ディスク18の回転軸線を中心として弧状に形成された押出リブ38の回転前位側の端面であり、押進部32よりも回転軸線から遠い位置であって、かつ、押進部32よりも回転後位側に位置し、回転ディスク18の周方向に面する外向き押出面である。
換言すれば、押出部34は、直線LAに対し鈍角をなす直線LB上にほぼ位置している。
【００２８】
次にコインガイド39を説明ずる。
スライドベース16を上下に貫通する貫通孔41にピン状の第1コインガイド40および第2コインガイド42が突出している。
第1コインガイド40は、押進リブ36の回転軸心側に位置し、その先端は、回転ディスク18の裏面に形成された弧状の第1逃げ溝44に位置可能である。
【００２９】
第2コインガイド42は、押出リブ38と押進リブ36の間の弧状の第2逃げ溝46に位置可能である。
これら第1コインガイド40と第2コインガイド42は、図2に示すように、それらの外周面を結んだ直線LDに対し回転ディスク18の回転中心と通孔20の中心とを結んだ直線がほぼ直交する場合、直線LDの近くに通孔22の内側縁が位置するように配置されている。
【００３０】
すなわち、コインCがコインガイド40、42に対する接線方向に移動するようにして、押進部32および押出部34によってそれらコインガイド40、42に大きな力で押し付けられないようにしてある。
また、第１コインガイド40と第2コインガイド42の間隔は、コインCがそれらの間に大きく落ち込まないように設定してある。
すなわち、コインCが第１コインガイド40と第2コインガイド42とに接した場合、コインCの周縁が直線LDから1ミリ以下の距離になるよう設定してある。
【００３１】
次に第1コインガイド40と第２コインガイド42の構造を説明するが、両方とも同一構造であるので、第１コインガイド40を代表して説明する。
第1コインガイド40は、一端をスライドベース16の裏面に固定された板バネ48の自由端に固定された支軸50、及び、その支軸50に嵌合することにより回転自在に取り付けられたローラ52により構成されている。
支軸50は、板バネ48の上面側にほぼ垂直に固定されている。
詳述すれば、図3に示すように、頭部54は半球形に形成されている。
頭部54の下位に頭部の直径よりも小径の軸部56が形成され、その軸部56の下位に軸部56よりも僅かに小径のかしめ部58が形成されている。
【００３２】
かしめ部58を板バネ48のかしめ孔60に挿入し、かしめ部58をかしめることにより、支軸50は板バネ48に固定されている。
この構成は、コインガイド40または42の交換が必要な場合、板バネ48とのアッセンブリにて交換する。
なお、このかしめ部58にネジを形成し、板バネ48の下面側からナットで締め付けることにより、支軸50を板バネ48に固定してもよい。
この構成は、ローラ52のみを交換できる利点がある。
【００３３】
ローラ52は、頭部54の外径とほぼ同一の外径を有する小径部62とその下に連続する大径部64が形成されている。
大径部64は小径部62よりも大径であればよいが、図3に示すように、小径部62の二倍から三倍が好ましい。
大径部64と板バネ48の上面との間には、ローラ52の回転抵抗を減らすため、リング形かつフィルム状の摩擦低減シート66を配置してある。
摩擦低減シート66は、例えば商品名ポリスライダ(株式会社旭ポリスライダー製作所製)が適当である。
【００３４】
ローラ52の高さは、シート66を加えた長さが軸部56の長さよりも僅かに小さくなるように設定し、ローラ52が支軸50の軸方向に実質的にスライドせずに回転するようにしてある。
小径部62がスライドベース16の上面から突出する長さは、コインＣの厚さと同一又は僅かに大きく設定されている。
ローラ52は、コインＣの材料よりも硬度の低い材料、換言すれば、コインＣよりも柔らかい材料で作られている。
ローラ52の材料は、樹脂、例えばポリアセタール樹脂である。
ポリアセタール樹脂は、耐摩耗性に優れ、かつ、比較的安価なためである。
【００３５】
次にコインＣの払出装置70を説明する。
この払出口72に払出装置70が配置されている。
払出装置70は、固定ガイド74と移動ガイド76を含んでいる。
固定ガイド74は、固定軸78にローラ80が回転自在に取り付けられており、直線LDに対しコインガイド40、42と同じ側であり、かつ、回転ディスク18の傍に配置されている。
【００３６】
固定ガイド74と第2コインガイド42との間隔は、コインCが固定ガイド74と第２コインガイド52との両方に接触した場合、コインCの周縁が直線LDから1ミリ以下の距離になるよう設定してある。
移動ガイド76は、固定軸82を中心に回転可能にレバー84が取り付けられ、そのレバー84の先端に固定した軸86にローラ88が回転自在に取り付けられている。
【００３７】
レバー84は、図2において図示しないスプリングにより反時計方向に回転力を付与され、通常はベース12に固定されたストッパ90によって図2に示す待機位置に保持されている。
この待機位置において、固定ガイド74とローラ88との間隔は、コインCの直径よりも小さい。
移動ガイド76は、コインCによって押された場合、固定軸82を中心に時計方向へ回動され、そのコインCはそれら固定ガイド74と移動ガイド76の間を通過できる。
【００３８】
コインCの直径部が固定ガイド74と移動ガイド76の間を通過した直後、コインCは、前記スプリング（図示せず）による移動ガイド76の戻り運動によって払出口72から勢いよく払い出される。
移動ガイド76とガイド穴14との間に、ガイド穴14のガイド面15に引き続くほぼ直線状の出口ガイド92が形成されている。
出口ガイド92は、コインＣを面接触または線接触で案内することができる。
直線LDと出口ガイド92の間隔、すなわち、第１コインガイド40と出口ガイド92との間隔は、一円コインの直径よりも僅かに大きく設定してある。
【００３９】
払出口72の端部に光電式のコインセンサ94が配置され、コインCの通過を検知して払出信号を出力する。
ベース12にコインCをバラ積み状態で保留するボウル96が簡単操作で着脱可能な固定手段98によりベース12に固定されている。
ボウル96の下部に円形の出口が形成され、回転ディスク18はその下端内部に位置している。
【００４０】
しかし、回転ディスク18は、その全体がガイド穴14内に位置し、ボウル96の下に位置していてもよい。
すなわち、ボウル96の底部に位置するとは、ボウル96の下端部内だけでなく、ボウル96下端に隣接配置される場合も含んでいる。
ボウル96の上部は、矩形に形成され、その上端面は、コインCを投入するため、開放されている。
【００４１】
次に図4および図5を参照してアルミ製の一円コインを払い出すケースの作用を説明する。
ボウル96内に投入されたコインCは、大部分がボウル96の底部に位置する回転ディスク18上に位置する。
回転ディスク18が回転した場合、ボウル96内のコインCは攪拌され、通孔20に落下し、スライドベース16上に支持される。
スライドベース16上に支持されたコインCは、押進部32により押されて回転ディスク18とともに図2に示すように反時計方向に回動される。
【００４２】
このとき、押進部32は、回転ディスク18の軸線を中心とし、ガイド面15に沿って回動するコインCの中心を通る円弧Ｙとの接点Dを押す。
換言すれば、接点Dにおいて回転ディスク18の中心を通る線ＬＡに対し直交する方向へコインCを押す。
前記直交する方向が円弧Yのほぼ接線方向であるため、ガイド面15に向かう分力は小さい。
【００４３】
この分力と、回動によるコインＣに発生する遠心力との合力によってコインCはガイド面15を押す。
回転ディスク18、したがってコインCの回転速度は比較的小さいので、コインCはおおよそ前記分力でガイド面15と摺動する。
したがって、コインCの周面がガイド面15と摺動することによる抵抗は極めて小さく、回転ディスク18の回転抵抗が小さいため、モータ28の消費電力は小さい。
【００４４】
さらに回転ディスク18が回転すると、コインCは出口ガイド92にガイドされる。
コインCが出口ガイド92に接しつつ移動する場合、第１コインガイド40には接触しないが、コインCが出口ガイド92から僅かに離れている場合、第１コインガイド40に接触する(図4鎖線示)。
この場合、コインCは押進部32の押力と第１コインガイド40の反力の合力の分力によって出口ガイド92に押し付けられ、出口ガイド92に案内されつつ払出口72へ向かって移動する(図4)。
【００４５】
このとき、押進部32の押力と第１コインガイド40の反力とは鈍角をなすが、比較的小さい鈍角であるため、コインCの挟み力は小さい。
さらに、ローラ52がコインＣと接触している場合、コインＣの移動と共に支軸50を中心に回転される。
したがって、コインＣがローラ52に擦られて摩耗することがない。
【００４６】
さらに、ローラ52は、アルミよりも柔らかい材料で作られているので、大きな力でコインＣがローラ52に押し付けられても、ローラ52が変形し、コインＣは変形しない。
この後、コインCは出口ガイド92、第１コインガイド40、スライドベース16の上面および回転ディスク18の裏面によって所定の姿勢で案内される。
換言すると、コインCの姿勢は上記で囲まれた空間内に限定されるため、スライドベース16にほぼ平行な状態でガイドされる。
【００４７】
さらに、回転ディスク18が回転した場合、コインCはローラ88と接して第２コインガイド42側へ押されると共に、押出部34によって払出口72へ向かって押される。
コインCが固定ガイド74とローラ88に挟まれた場合、レバー84は時計方向へ回動される(図5)。
回転ディスク18がさらに回転すると、外向きの押出部34によってコインCが押されて第２コインガイド42との共同によって払出口72へ押し出される。
【００４８】
このとき、押出部34による押力の方向は、出口ガイド92とほぼ平行であり、第２コインガイド42の反力とのなす角度は鈍角であっても比較的小さいため、コインCに大きな挟み力は作用しない。
また、コインCは移動ガイド76からも押力を受けるが、その押力は小さい。
さらに、ローラ52がコインＣの移動と共に回転し、コインＣを擦らない。
さらにまた、ローラ52は、コインＣの材料よりも柔らかいので、コインＣが大きな力でローラ52を押した場合、小径部62が変形される。
【００４９】
この場合、コインＣはローラ52の上端部を押すので、ローラ52は偏荷重を受ける。
これにより、微視的にはローラ52が傾斜することになるが、大径部64の面積が大きいため、その傾斜角は小さく、さらに板バネ48上面(シート66)との単位面積当たりの接触圧は小さい。
このため、シート66の低摩擦面効果と相俟ってローラ52の回転はスムーズである。
【００５０】
したがって、アルミ製コインCが摩耗したり変形することがない。
さらに、コインCは出口ガイド92、第１コインガイド40、スライドベース16および回転ディスク18の裏面で制限された所定の姿勢で移動ガイド76と第２コインガイド42に挟まれるので、その姿勢は保持され、コインCはスライドベース16にほぼ平行な状態を維持する。
【００５１】
その後、コインＣは固定ガイド74と移動ガイド76との間に挟まれた状態で押出部34によって払出口72側へ押され、レバー84を更に時計方向へ回動させる。
このとき、押出部34は、外向き斜面でコインＣを押し出すので、前述同様コインCは摩耗及び変形しない。
また、コインCは前記スライドベース16にほぼ平行な状態を維持する。
コインCの直径部が固定ガイド74と移動ガイド76の間を通過した直後、移動ガイド76は図示しないスプリングによる反時計方向の回動力によりコインCを弾いて払出口72から投出する。
【実施例】
【００５２】
図６は、本発明の実施例のコインホッパの平面図(コインボウルを取り除いた)である。
図７(ａ)は、本発明の実施例のコインガイドアッセンブリの斜視図であり、（ｂ）は本発明の実施例のコインガイドアッセンブリの分解斜視図である。
図８は、図６におけるＢ―Ｂ線断面図である。
図９は、図６におけるＣ―Ｃ線断面図である。
【００５３】
実施例において、参考例と同一符号を付した部品は、参考例と同一機能及び作用を有する。
図6に示すように、実施例における第１コインガイド100及び第２コインガイド102は、板バネ104に取り付けられている。
この板バネ104は、バネ鋼、バネ性を有する複合構造体又は樹脂等によって製造されている。
【００５４】
板バネ104は、鈍角でベンドしており、その一端の取付孔106を貫通するスクリュウ(図示せず)によってベース16の裏面に固定されている。
円形の第１ガイド貫通孔108及び第２ガイド貫通孔110が所定の間隔で板バネ104の他端部の取付部112にせん孔されている。
第１ガイド貫通孔108と第２ガイド貫通孔110の回転ディスク18の回転方向下流側に円形の第１被動体貫通孔114及び第2被動体貫通孔116がそれぞれ配置されている。
【００５５】
取付部112と平行に所定の間隔で支持板118が板バネ104に固定されている。
換言すれば、板バネ104の第１ガイド貫通孔108と第２ガイド貫通孔110の間及び第１被動体貫通孔114と第２被動体貫通孔116の間の板バネ104の下面に固定されたスペーサ120及び122の下端面に支持板118をあてがい、スクリュウ124をそれらスペーサ120、122にねじ込むことによって固定されている。
【００５６】
円形の第１カシメ孔(図示せず)及び第２カシメ孔128が第１貫通孔108及び第２貫通孔110に相対して支持板118にせん孔されている。
これらカシメ孔128に第１支軸130及び第２支軸132がそれぞれ下端部をカシメられて固定されている。
第１支軸130及び第２支軸132は金属、例えばステンレス鋼により作られ、かつ、同一形状をしている。
【００５７】
すなわち、図8に示すように、中間に大径部134が形成され、この大径部134とカシメられた下端部との間で支持板118を挟み込むことにより、支軸130及び132が支持板118にそれぞれ固定されている。
これら支軸130、132に第１接触体135及び第２接触体（図示せず）が回転自在に支持されている。
第１接触体135及び第２接触体は第１ローラ136及び第２ローラ138であり、コインCよりも軟質材料、例えば機械的強度及び耐摩耗性に優れたポリアセタール樹脂により一体成型されている。
【００５８】
第１ローラ136及び第２ローラ138は有底円筒状であり、支軸130、132にそれぞれ被せられている。
すなわち、第１ローラ136、第２ローラ138は、それぞれ下端部に前記大径部134とほぼ同径の大径フランジ部140を有し、その上部は同一径の小径部142である。
【００５９】
また、第１支軸130に第１ローラ136を被せることにより第１コインガイド100を構成し、第２支軸130に第２ローラ138を被せることにより第２コインガイド102を構成してある。
図7に示すように支持板118が板バネ104に固定された場合、フランジ部140の上面は板バネ104の裏面に対し僅かに隙間が形成され、第１ローラ136及び第２ローラ138はスラスト方向の移動が制限される。
【００６０】
これにより、第１ローラ136及び第２ローラ138は板バネ104に対し回転自在に、かつ、脱落することなく支持される。
矩形の第１被動体装着孔144及び第２被動体装着孔146が第１被動体貫通孔114、第２被動体貫通孔116に相対して支軸130、132の回転ディスク18の回転方向下流側に形成されている。
これら装着孔144、146に第１被動体148、第２被動体150の下端部がそれぞれ挿入されている。
【００６１】
第１被動体148及び第２被動体150は同一構造である。
これら第１被動体148及び第２被動体150は、コインCよりも軟質材料、例えば、機械的強度及び耐摩耗性に優れているポリアセタール樹脂により一体成型されている。
もし、コインCがこれら第１被動体148又は第２被動体150に大きな力で押し付けられた場合であっても、これら第１被動体148又は第２被動体150が変形し、コインCが変形することがない。
【００６２】
すなわち、図7に示すように、上部が小径円柱部152であり、下部が大径円柱部154であり、中間に段部156が形成されている。
大径円柱部154の下端部は両サイドを切り欠いて矩形部159を形成してある。
この矩形部159を第１装着孔144及び第２装着孔146に挿入することにより、第１被動体148及び第２被動体150の回り止めがなざれる。
支持板118が板バネ104に取付けられた場合、段部156が板バネ104の下面に接触し、  第１被動体148及び第２被動体150の抜け止めがなされる。
【００６３】
第１被動体148及び第２被動体150の頂部158は半球形に形成されている。
すなわち、板バネ104がベース16の裏面に固定された場合、頂部158がベース16の上面から僅かに突出するように設定してある。
具体的には、半球部がベース16の上面よりも突出するようにしてある。
これにより、回転ディスク18が逆転された場合、回転ディスク18の下面によって移動を規制されたコインCが球面の傾斜によって第１被動体148及び第２被動体150を押し下げる。
【００６４】
すなわち、第１被動体148及び第２被動体150は板バネ104に取り付けられているため、コインCによって押し下げられることができる。
これにより、回転ディスク18の逆転を可能にしている。
なお、第１被動体148及び第２被動体150の頂部158は斜面に形成し、回転ディスク18が逆転された場合、コインCにより押し下げられるようにすることができる。
第１ローラ136及び第２ローラ138は、第１被動体148及び第２被動体150とそれぞれほぼ同量ベース16の上面から突出する。
【００６５】
次ぎに回転ディスク18の押出ローラ160を説明する。
押出ローラ160は、回転ディスク18の裏面の押出部32の外方に回転自在に取り付けられている。
すなわち、図6に示すように、第２コインガイド102と共にコインCを挟むようにしてある。
具体的には、図9に示すように、ローラ160はシリンダ形であり、上端部に内向きのフランジ162が形成されている。
【００６６】
ローラ160は、コインCよりも軟質材料、例えば機械的強度に優れ、かつ、耐摩耗性を有するポリアセタール樹脂により一体成型されている。
ローラ160が大きな力でコインCに接した場合、ローラ160によってコインCが変形されないためである。
しかし、ローラ160は、金属、例えば、ステンレス鋼により作ることが好ましい。
コインCが大きな力ではさまれた場合、ローラ160が変形して円滑な回転ができなくなることを防止するためである。
下端部に大径受け部164を有する軸受166の小径部168を回転ディスク18の保持孔170に挿入し、スクリュウ172で固定してある。
したがって、ローラ160はフランジ162を大径受け部164によって支えられて脱落を防止され、かつ、大径受け部164周面によって回転自在に軸受される。
【００６７】
軸受166は、金属、例えばステンレス鋼により製造され、小径にも拘わらず所定の強度を得るようにしている。
また、軸受166の小径部168を保持孔170に挿入することにより、軸受166と回転ディスク18との直角度を規制している。
なお、ローラ160及び軸受166が回転ディスク18に固定された場合、それらの下端部は回転ディスク18の下面(押出部下端)よりも突出しないようにしてある。
【００６８】
また、ローラ160の更に外側の回転ディスク18の下面に最終押出片174が形成してある。
ローラ160でコインCを押し出した後、さらにコインCを回転ディスク18の外方へ押し出すためである。
【００６９】
次ぎに実施例の作用を説明する。
実施例の場合も、参考例と同様に通孔20に落下したコインCは、押出部32によって押進められる。
コインCが第１コインガイド100と接触した場合、第１コインガイド100からの反力と押出部32の押し力によって出口72へ向かって押される。
【００７０】
このとき、コインCと第１コンガイド100との間には滑りが発生するが、第１コインガイド100は第１ローラ136であるため、ローラ136が回転して滑ることなくコインCを案内する。
続いてコインCは、第２コインガイド102の第２ローラ138と押出部32との間で挟まれるため、同様に第２ローラ138が回転して滑ることなくコインCを案内する。
【００７１】
続いてコインCは、固定ローラ80とローラ160との間に挟まれ、さらに最終押出片174によって押し出され、最終的にローラ160によって弾き出される。
このようにコインCは、第１コインガイド100、第２コインガイド102によってガイドされるので、大きな力で挾まれた場合、それらコインガイド100、102が変形するので、コインCが変形することがない。
【００７２】
また、コインCは挟まれた状態で、固定部と摺動することがないので、軟質コインの摩耗を防止することができる。
さらに、コインCの押出をローラ160により行うことにより、さらに、コインCと固定部との摺動を少なくできるので、コインCの摩耗を防止することができる。
【産業上の利用可能性】
【００７３】
本発明は、コインの払出装置のコインガイドとして用いることができる。
【図面の簡単な説明】
【００７４】
【図１】図１は参考例の回転ディスクを装着したコインホッパの分解斜視図である。
【図２】図２は参考例の回転ディスクを装着した(コインボウルを取り除いた)コインホッパの平面図である。
【図３】図３は、図２におけるＡ―Ａ線断面図である。
【図４】図４は、参考例の作用説明図である。
【図５】図５は、参考例の作用説明図である。
【図６】図６は本発明の実施例のコインホッパの平面図(コインボウルを取り除いた)である。
【図７】図７(ａ)は、本発明の実施例のコインガイドアッセンブリの斜視図であり、（ｂ）は本発明の実施例のコインガイドアッセンブリの分解斜視図である。
【図８】図８は、図６におけるＢ―Ｂ線断面図である。
【図９】図９は、図６におけるＣ―Ｃ線断面図である。
【符号の説明】
【００７５】
16  スライドベース
18  回転ディスク
20  通孔
30  押出片
32  押進部
34  押出部
40、42、100、102  コインガイド
48、104  板バネ
50、130、132  支軸
135  接触体
52、136、138  ローラ
62、142  小径部
64  大径部
96  ボウル
108、110  貫通孔
114、116  貫通孔
118  支持板
140  フランジ（大径部）
148、150  被動体
154  大径部
C  コイン
LA  直線
LB  鈍角をなす線
【図１】
0004714857.tif 000002
【図２】
0004714857.tif 000003
【図３】
0004714857.tif 000004
【図４】
0004714857.tif 000005
【図５】
0004714857.tif 000006
【図６】
0004714857.tif 000007
【図７】
0004714857.tif 000008
【図８】
0004714857.tif 000009
【図９】
0004714857.tif 000010